(57)【要約】【課題】本発明は家庭用のシャツ干し装置を開示した。【解決手段】本発明は家庭用のシャツ干し装置を開示し、左右に対称的な支持棒を含み、雨が降る時、スライダを引き動かして左へスライドさせ、雨遮り布が広がって雨を遮り、回収する時撥条がリールを回転連動させて雨遮り布を巻き、雨遮り布を納め、シャツを洗濯終わってからシャツを挟んで止めて干し、洗濯する後生じる大量な皺を防止でき、シャツを伸ばし、シャツは均一に干され、重なって干しにくいことはなく、雨の日もタイムリーに取れない状況で雨に濡れるのを防止でき、簡易な箪笥としても使える。【選択図】図１
2020175079.tif 000002
【特許請求の範囲】
【請求項１】
家庭用のシャツ干し装置であって、左右に対称的な支持棒を含み、前記支持棒には補助部品が設置されており、前記補助部品は前記支持棒の底部端面にヒンジで取り付けられる支持できるヒンジ棒を含み、前記ヒンジ棒の底部端面には転向と移動できる第一自在輪が回転できるように取り付けられ、前記支持棒の底部端面において前記ヒンジ棒の右側には第一リンクがヒンジで連結され、前記ヒンジ棒の右側端面には第二リンクがヒンジで取り付けられ、前記第二リンクが前記第一リンクとヒンジで取り付けられ、前記第一自在輪を支える又は収まることができ、右側の前記支持棒の底部端面には第二自在輪が回転できるように取り付けられ、装置を便利に移動することができ、前記補助部品は前記支持棒の頂部に固定的に取り付けられる巻き箱と雨を遮る雨遮り布とを含み、前記巻き箱の中には巻きチャンバが設置されており、前記巻きチャンバの前後内壁の間にはリール軸が回転できるように取り付けられ、前記リール軸には雨遮り布の巻き付くリールが固定的に取り付けられ、前記巻きチャンバの前側内壁には固定板が固定的に取付けられ、前記固定板と前記リールの間にはリールに雨遮り布を回収させる撥条が固定的に取り付けられ、左右の前記支持棒の間には干し部品が設置されており、前記干し部品は左右の前記支持棒の間に固定的に取付けられるハンガーバーを含み、前記ハンガーバーの中にはスライドチャンバが設置されており、前記スライドチャンバの中にはネジ山軸が回転できるように取り付けられ、前記ネジ山軸にはネジ山スライダがネジ山によって取り付けられ、前記スライドチャンバの中にはハンガーを固定できる六つのハンガースライダがスライドできるように取り付けられ、前記ハンガースライダの中には通線穴が設置されており、前記ネジ山スライダには前記ハンガースライダを制御して右へスライドさせられる引き線が固定的に連結されており、前記引き線にはハンガースライダを右へスライドさせる限定ブロックが固定的に取り付けられ、ネジ山軸の回転によってネジ山スライダを制御してスライドチャンバの中でスライドさせ、これによりハンガースライダを均一にスライドチャンバの中に分布でき、前記ハンガースライダの底部端面にはハンガー連接ボードが固定的に取り付けられ、前記ハンガー連接ボードの中にはシャツを張るハンガー張りボードがヒンジで取り付けられ、前記ハンガー連接ボードの前後端面には左右に対称的に通槽が設置されており、前記ハンガー連接ボードの前後端面には左右に対称的に回転棒がヒンジで取り付けられ、前記回転棒と前記ハンガー張りボードとがスライドできるように連結され、前記回転棒にはシャツを挟む挟みボードがスライドできるように取り付けられ、シャツが風に吹き飛ばされることを防止でき、シャツの皺を伸ばすこともでき、前記干し部品はシャツの底部を挟む洗濯バサミを含み、前記洗濯バサミによってシャツが洗濯された後皺ができないように保証できることを特徴とする家庭用のシャツ干し装置。
【請求項２】
前記補助部品は左右両側の前記支持棒の間に固定的に取付けられる連接棒を含み、前記ハンガーバーの外側端面にはスライダがスライドできるように取り付けられ、前記スライダの中には布挟みブロックが固定的に設置されており、前記布挟みブロックが前記雨遮り布と固定的に連結されており、それにより、雨が降る時、スライダを引き動かして左へスライドさせ、雨遮り布が広がって雨を遮り、回収する時撥条がリールを回転連動させて雨遮り布を巻き、雨遮り布を納めることを特徴とする請求項１に記載の家庭用のシャツ干し装置。
【請求項３】
前記干し部品は前記支持棒に回転できるように取り付けられるプーリ軸を含み、前記プーリ軸の左側端面には第一プーリが固定的に取り付けられ、前記第一プーリの左側端面には取手が固定的に取り付けられ、前記ネジ山軸の左側端面には第二プーリが固定的に取り付けられ、前記第二プーリと前記第一プーリの間にはベルトが伝動できるように取り付けられ、前後の前記ハンガー張りボードには左右に対称的に撥条位置制限ブロックが固定的に取り付けられ、左右の前記撥条位置制限ブロックの間には撥条が固定的に取り付けられ、前記ハンガーバーにはフックが固定的に取り付けられ、それにより第一プーリを回転させ、第一プーリは第二プーリとネジ山軸を回転連動させ、ネジ山軸が回転してネジ山スライダを右へ運動連動させ、ネジ山スライダは引き線と限定ブロックを引き動かし、限定ブロックがハンガースライダを右へスライド連動させて均一分布させ、シャツをハンガー張りボードに掛け、シャツの重力によってハンガー張りボードが回転棒を押して回転させ、回転棒が回転して挟みボードを連動させてシャツを挟んで止め、洗濯バサミはシャツに皺ができないようにシャツの底部を挟み、前記フックには他の干される衣服を掛けられることを特徴とする請求項１に記載の家庭用のシャツ干し装置。
【発明の詳細な説明】
【技術分野】
【０００１】
本発明は生活用品の分野を取り上げて、具体的には家庭用のシャツ干し装置である。
【背景技術】
【０００２】
シャツは洗濯後に皺が最もできやすく、一般的な家庭用のハンガーバー又は干し装置はシャツが干されてから皺が伸ばされにくく、シャツ間の距離が不適当且つ不均一であれば、シャツが集まり、干しにくく、干す時には風が吹いたらシャツが吹き飛ばされ、特に雨の天気にはタイムリーに取らないと雨に濡れる。
【先行技術文献】
【特許文献】
【０００３】
【特許文献１】中国特許出願公開第１０６７２４６４０号明細書
【発明の概要】
【発明が解決しようとする課題】
【０００４】
本発明の目的は家庭用のシャツ干し装置を提供し、現有の技術の上記欠点を克服できる。
【課題を解決するための手段】
【０００５】
本発明の実施例における家庭用のシャツ干し装置は、左右に対称的な支持棒を含み、前記支持棒には補助部品が設置されており、前記補助部品は前記支持棒の底部端面にヒンジで取り付けられる支持できるヒンジ棒を含み、前記ヒンジ棒の底部端面には転向と移動できる第一自在輪が回転できるように取り付けられ、前記支持棒の底部端面において前記ヒンジ棒の右側には第一リンクがヒンジで連結され、前記ヒンジ棒の右側端面には第二リンクがヒンジで取り付けられ、前記第二リンクが前記第一リンクとヒンジで取り付けられ、前記第一自在輪を支える又は収まることができ、右側の前記支持棒の底部端面には第二自在輪が回転できるように取り付けられ、装置を便利に移動することができ、前記補助部品は前記支持棒の頂部に固定的に取り付けられる巻き箱と雨を遮る雨遮り布とを含み、前記巻き箱の中には巻きチャンバが設置されており、前記巻きチャンバの前後内壁の間にはリール軸が回転できるように取り付けられ、前記リール軸には雨遮り布の巻き付くリールが固定的に取り付けられ、前記巻きチャンバの前側内壁には固定板が固定的に取付けられ、前記固定板と前記リールの間にはリールに雨遮り布を回収させる撥条が固定的に取り付けられ、左右の前記支持棒の間には干し部品が設置されており、前記干し部品は左右の前記支持棒の間に固定的に取付けられるハンガーバーを含み、前記ハンガーバーの中にはスライドチャンバが設置されており、前記スライドチャンバの中にはネジ山軸が回転できるように取り付けられ、前記ネジ山軸にはネジ山スライダがネジ山によって取り付けられ、前記スライドチャンバの中にはハンガーを固定できる六つのハンガースライダがスライドできるように取り付けられ、前記ハンガースライダの中には通線穴が設置されており、前記ネジ山スライダには前記ハンガースライダを制御して右へスライドさせられる引き線が固定的に連結されており、前記引き線にはハンガースライダを右へスライドさせる限定ブロックが固定的に取り付けられ、ネジ山軸の回転によってネジ山スライダを制御してスライドチャンバの中でスライドさせ、これによりハンガースライダを均一にスライドチャンバの中に分布でき、前記ハンガースライダの底部端面にはハンガー連接ボードが固定的に取り付けられ、前記ハンガー連接ボードの中にはシャツを張るハンガー張りボードがヒンジで取り付けられ、前記ハンガー連接ボードの前後端面には左右に対称的に通槽が設置されており、前記ハンガー連接ボードの前後端面には左右に対称的に回転棒がヒンジで取り付けられ、前記回転棒と前記ハンガー張りボードとがスライドできるように連結され、前記回転棒にはシャツを挟む挟みボードがスライドできるように取り付けられ、シャツが風に吹き飛ばされることを防止でき、シャツの皺を伸ばすこともでき、前記干し部品はシャツの底部を挟む洗濯バサミを含み、前記洗濯バサミによってシャツが洗濯された後皺ができないように保証できる。
【０００６】
更なる技術方案、前記補助部品は左右両側の前記支持棒の間に固定的に取付けられる連接棒を含み、前記ハンガーバーの外側端面にはスライダがスライドできるように取り付けられ、前記スライダの中には布挟みブロックが固定的に設置されており、前記布挟みブロックが前記雨遮り布と固定的に連結されており、それにより、雨が降る時、スライダを引き動かして左へスライドさせ、雨遮り布が広がって雨を遮り、回収する時撥条がリールを回転連動させて雨遮り布を巻き、雨遮り布を納める。
【０００７】
更なる技術方案、前記干し部品は前記支持棒に回転できるように取り付けられるプーリ軸を含み、前記プーリ軸の左側端面には第一プーリが固定的に取り付けられ、前記第一プーリの左側端面には取手が固定的に取り付けられ、前記ネジ山軸の左側端面には第二プーリが固定的に取り付けられ、前記第二プーリと前記第一プーリの間にはベルトが伝動できるように取り付けられ、前後の前記ハンガー張りボードには左右に対称的に撥条位置制限ブロックが固定的に取り付けられ、左右の前記撥条位置制限ブロックの間には撥条が固定的に取り付けられ、前記ハンガーバーにはフックが固定的に取り付けられ、それにより第一プーリを回転させ、第一プーリは第二プーリとネジ山軸を回転連動させ、ネジ山軸が回転してネジ山スライダを右へ運動連動させ、ネジ山スライダは引き線と限定ブロックを引き動かし、限定ブロックがハンガースライダを右へスライド連動させて均一分布させ、シャツをハンガー張りボードに掛け、シャツの重力によってハンガー張りボードが回転棒を押して回転させ、回転棒が回転して挟みボードを連動させてシャツを挟んで止め、洗濯バサミはシャツに皺ができないようにシャツの底部を挟み、前記フックには他の干される衣服を掛けられる。
【発明の効果】
【０００８】
本発明の有益な効果は下記の通りである：
【０００９】
本発明はシャツを洗濯終わってからシャツを挟んで止めて干し、洗濯する後生じる大量な皺を防止でき、シャツを伸ばし、シャツは均一に干され、重なって干しにくいことはなく、雨の日もタイムリーに取れない状況で雨に濡れるのを防止でき、簡易な箪笥としても使え、宣伝する価値がある。
【図面の簡単な説明】
【００１０】
【図１】図１は本発明の全体構成模式図
【図２】図２は図１のＡ−Ａの方向の断面構成模式図
【図３】図３は図１のＢ−Ｂの方向の断面構成模式図
【図４】図４は図１における洗濯バサミ１６の構成模式図
【図５】図５は図１のＣの拡大構成模式図
【発明を実施するための形態】
【００１１】
以下、図１−５について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−５を参考して、本発明の実施例における家庭用のシャツ干し装置は、左右に対称的な支持棒１０を含み、前記支持棒１０には補助部品８０が設置されており、前記補助部品８０は前記支持棒１０の底部端面にヒンジで取り付けられる支持できるヒンジ棒１１を含み、前記ヒンジ棒１１の底部端面には転向と移動できる第一自在輪１２が回転できるように取り付けられ、前記支持棒１０の底部端面において前記ヒンジ棒１１の右側には第一リンク１４がヒンジで連結され、前記ヒンジ棒１１の右側端面には第二リンク１３がヒンジで取り付けられ、前記第二リンク１３が前記第一リンク１４とヒンジで取り付けられ、前記第一自在輪１２を支える又は収まることができ、右側の前記支持棒１０の底部端面には第二自在輪４４が回転できるように取り付けられ、装置を便利に移動することができ、前記補助部品８０は前記支持棒１０の頂部に固定的に取り付けられる巻き箱２２と雨を遮る雨遮り布２６とを含み、前記巻き箱２２の中には巻きチャンバ２３が設置されており、前記巻きチャンバ２３の前後内壁の間にはリール軸２５が回転できるように取り付けられ、前記リール軸２５には雨遮り布２６の巻き付くリール２４が固定的に取り付けられ、前記巻きチャンバ２３の前側内壁には固定板４５が固定的に取付けられ、前記固定板４５と前記リール２４の間にはリール２４に雨遮り布２６を回収させる撥条４６が固定的に取り付けられ、左右の前記支持棒１０の間には干し部品８１が設置されており、前記干し部品は左右の前記支持棒１０の間に固定的に取付けられるハンガーバー２９を含み、前記ハンガーバー２９の中にはスライドチャンバ３１が設置されており、前記スライドチャンバ３１の中にはネジ山軸３２が回転できるように取り付けられ、前記ネジ山軸３２にはネジ山スライダ３７がネジ山によって取り付けられ、前記スライドチャンバ３１の中にはハンガーを固定できる六つのハンガースライダ３０がスライドできるように取り付けられ、前記ハンガースライダ３０の中には通線穴３５が設置されており、前記ネジ山スライダ３７には前記ハンガースライダ３０を制御して右へスライドさせられる引き線３３が固定的に連結されており、前記引き線３３にはハンガースライダ３０を右へスライドさせる限定ブロック３４が固定的に取り付けられ、ネジ山軸３２の回転によってネジ山スライダ３７を制御してスライドチャンバ３１の中でスライドさせ、これによりハンガースライダ３０を均一にスライドチャンバ３１の中に分布でき、前記ハンガースライダ３０の底部端面にはハンガー連接ボード４３が固定的に取り付けられ、前記ハンガー連接ボード４３の中にはシャツを張るハンガー張りボード４１がヒンジで取り付けられ、前記ハンガー連接ボード４３の前後端面には左右に対称的に通槽３９が設置されており、前記ハンガー連接ボード４３の前後端面には左右に対称的に回転棒３８がヒンジで取り付けられ、前記回転棒３８と前記ハンガー張りボード４１とがスライドできるように連結され、前記回転棒３９にはシャツを挟む挟みボード４０がスライドできるように取り付けられ、シャツが風に吹き飛ばされることを防止でき、シャツの皺を伸ばすこともでき、前記干し部品８１はシャツの底部を挟む洗濯バサミ１６を含み、前記洗濯バサミ１６によってシャツが洗濯された後皺ができないように保証できる。
【００１３】
前記補助部品８０は左右両側の前記支持棒１０の間に固定的に取付けられる連接棒１５を含み、前記ハンガーバー２９の外側端面にはスライダ２７がスライドできるように取り付けられ、前記スライダ２７の中には布挟みブロック２８が固定的に設置されており、前記布挟みブロック２８が前記雨遮り布２６と固定的に連結されており、それにより、雨が降る時、スライダ２７を引き動かして左へスライドさせ、雨遮り布２６が広がって雨を遮り、回収する時撥条４６がリール２４を回転連動させて雨遮り布２６を巻き、雨遮り布２６を納める。
【００１４】
前記干し部品８１は前記支持棒１０に回転できるように取り付けられるプーリ軸１９を含み、前記プーリ軸１９の左側端面には第一プーリ１８が固定的に取り付けられ、前記第一プーリ１８の左側端面には取手１７が固定的に取り付けられ、前記ネジ山軸３２の左側端面には第二プーリ２１が固定的に取り付けられ、前記第二プーリ２１と前記第一プーリ１８の間にはベルト２０が伝動できるように取り付けられ、前後の前記ハンガー張りボード４１には左右に対称的に撥条位置制限ブロック４７が固定的に取り付けられ、左右の前記撥条位置制限ブロック４７の間には撥条５０が固定的に取り付けられ、前記ハンガーバー２９にはフック３６が固定的に取り付けられ、それにより第一プーリ１８を回転させ、第一プーリ１８は第二プーリ２１とネジ山軸３２を回転連動させ、ネジ山軸３２が回転してネジ山スライダ３７を右へ運動連動させ、ネジ山スライダ３７は引き線３３と限定ブロック３４を引き動かし、限定ブロック３４がハンガースライダ３０を右へスライド連動させて均一分布させ、シャツをハンガー張りボード４１に掛け、シャツの重力によってハンガー張りボード４１が回転棒３８を押して回転させ、回転棒３８が回転して挟みボード４０を連動させてシャツを挟んで止め、洗濯バサミ１６はシャツに皺ができないようにシャツの底部を挟み、前記フック３６には他の干される衣服を掛けられる。
【００１５】
使用する時、第一自在輪１２と第二自在輪４４によって便利に装置を移動でき、装置を固定する時、第二リンク１３と第一リンク１４を推して左へ回転させ、ヒンジ棒１１と第一自在輪１２は引っ張られ右へ回転し、第一自在輪１２が納められ、左側の支持棒１０を直接に地面と接触させ、装置を地面と固定し、シャツを干す時、第一プーリ１８を回転させ、第一プーリ１８は第二プーリ２１とネジ山軸３２を回転連動させ、ネジ山軸３２が回転してネジ山ブロック３７を右へ運動連動させ、ネジ山スライダ３７が引き線３３と限定ブロック３４を引き動かし、限定ブロック３４がハンガースライダ３０を右へスライド連動させ、シャツをハンガー張りボード４１に掛け、シャツの重力によって、ハンガー張りボード４１が回転棒３８を押し動かして回転させ、回転棒３８が回転して挟みボード４０を連動させてシャツを挟み、洗濯バサミ１６はシャツに皺ができないようにシャツの底部を挟み、前記フック３６には他の干される衣服を掛けられ、雨が降る時、スライダ２７を引っ張って左へスライドさせ、雨遮り布２６が広がって雨を遮り、回収する時撥条４６がリール２４を回転連動させ、雨遮り布２６を巻き、雨遮り布２６が納められる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175079.tif 000003
【図２】
2020175079.tif 000004
【図３】
2020175079.tif 000005
【図４】
2020175079.tif 000006
【図５】
2020175079.tif 000007
【手続補正書】
【提出日】令和2年1月11日(2020.1.11)
【手続補正１】
【補正対象書類名】特許請求の範囲
【補正対象項目名】請求項２
【補正方法】変更
【補正の内容】
【請求項２】
前記補助部品は左右両側の前記支持棒の間に固定的に取付けられる連接棒を含み、前記ハンガーバーの外側端面にはスライダがスライドできるように取り付けられ、前記スライダの中には布挟みブロックが固定的に設置されており、前記布挟みブロックが前記雨遮り布と固定的に連結されており、それにより、雨が降る時、スライダを引き動かして右方へスライドさせ、雨遮り布が広がって雨を遮り、回収する時撥条がリールを回転連動させて雨遮り布を巻き、雨遮り布を納めることを特徴とする請求項１に記載の家庭用のシャツ干し装置。
【手続補正２】
【補正対象書類名】明細書
【補正対象項目名】全文
【補正方法】変更
【補正の内容】
【発明の詳細な説明】
【技術分野】
【０００１】
本発明は生活用品の分野を取り上げて、具体的には家庭用のシャツ干し装置である。
【背景技術】
【０００２】
シャツは洗濯後に皺が最もできやすく、一般的な家庭用のハンガーバー又は干し装置はシャツが干されてから皺が伸ばされにくく、シャツ間の距離が不適当且つ不均一であれば、シャツが集まり、干しにくく、干す時には風が吹いたらシャツが吹き飛ばされ、特に雨の天気にはタイムリーに取らないと雨に濡れる。
【先行技術文献】
【特許文献】
【０００３】
【特許文献１】中国特許出願公開第１０６７２４６４０号明細書
【発明の概要】
【発明が解決しようとする課題】
【０００４】
本発明の目的は家庭用のシャツ干し装置を提供し、現有の技術の上記欠点を克服できる。
【課題を解決するための手段】
【０００５】
本発明の実施例における家庭用のシャツ干し装置は、左右に対称的な支持棒を含み、前記支持棒には補助部品が設置されており、前記補助部品は前記支持棒の底部端面にヒンジで取り付けられる支持できるヒンジ棒を含み、前記ヒンジ棒の底部端面には転向と移動できる第一自在輪が回転できるように取り付けられ、前記支持棒の底部端面において前記ヒンジ棒の右側には第一リンクがヒンジで連結され、前記ヒンジ棒の右側端面には第二リンクがヒンジで取り付けられ、前記第二リンクが前記第一リンクとヒンジで取り付けられ、前記第一自在輪を支える又は収まることができ、右側の前記支持棒の底部端面には第二自在輪が回転できるように取り付けられ、装置を便利に移動することができ、前記補助部品は前記支持棒の頂部に固定的に取り付けられる巻き箱と雨を遮る雨遮り布とを含み、前記巻き箱の中には巻きチャンバが設置されており、前記巻きチャンバの前後内壁の間にはリール軸が回転できるように取り付けられ、前記リール軸には雨遮り布の巻き付くリールが固定的に取り付けられ、前記巻きチャンバの前側内壁には固定板が固定的に取付けられ、前記固定板と前記リールの間にはリールに雨遮り布を回収させる撥条が固定的に取り付けられ、左右の前記支持棒の間には干し部品が設置されており、前記干し部品は左右の前記支持棒の間に固定的に取付けられるハンガーバーを含み、前記ハンガーバーの中にはスライドチャンバが設置されており、前記スライドチャンバの中にはネジ山軸が回転できるように取り付けられ、前記ネジ山軸にはネジ山スライダがネジ山によって取り付けられ、前記スライドチャンバの中にはハンガーを固定できる六つのハンガースライダがスライドできるように取り付けられ、前記ハンガースライダの中には通線穴が設置されており、前記ネジ山スライダには前記ハンガースライダを制御して右へスライドさせられる引き線が固定的に連結されており、前記引き線にはハンガースライダを右へスライドさせる限定ブロックが固定的に取り付けられ、ネジ山軸の回転によってネジ山スライダを制御してスライドチャンバの中でスライドさせ、これによりハンガースライダを均一にスライドチャンバの中に分布でき、前記ハンガースライダの底部端面にはハンガー連接ボードが固定的に取り付けられ、前記ハンガー連接ボードの中にはシャツを張るハンガー張りボードがヒンジで取り付けられ、前記ハンガー連接ボードの前後端面には左右に対称的に通槽が設置されており、前記ハンガー連接ボードの前後端面には左右に対称的に回転棒がヒンジで取り付けられ、前記回転棒と前記ハンガー張りボードとがスライドできるように連結され、前記回転棒にはシャツを挟む挟みボードがスライドできるように取り付けられ、シャツが風に吹き飛ばされることを防止でき、シャツの皺を伸ばすこともでき、前記干し部品はシャツの底部を挟む洗濯バサミを含み、前記洗濯バサミによってシャツが洗濯された後皺ができないように保証できる。
【０００６】
更なる技術方案、前記補助部品は左右両側の前記支持棒の間に固定的に取付けられる連接棒を含み、前記ハンガーバーの外側端面にはスライダがスライドできるように取り付けられ、前記スライダの中には布挟みブロックが固定的に設置されており、前記布挟みブロックが前記雨遮り布と固定的に連結されており、それにより、雨が降る時、スライダを引き動かして右方へスライドさせ、雨遮り布が広がって雨を遮り、回収する時撥条がリールを回転連動させて雨遮り布を巻き、雨遮り布を納める。
【０００７】
更なる技術方案、前記干し部品は前記支持棒に回転できるように取り付けられるプーリ軸を含み、前記プーリ軸の左側端面には第一プーリが固定的に取り付けられ、前記第一プーリの左側端面には取手が固定的に取り付けられ、前記ネジ山軸の左側端面には第二プーリが固定的に取り付けられ、前記第二プーリと前記第一プーリの間にはベルトが伝動できるように取り付けられ、前後の前記ハンガー張りボードには左右に対称的に撥条位置制限ブロックが固定的に取り付けられ、左右の前記撥条位置制限ブロックの間には撥条が固定的に取り付けられ、前記ハンガーバーにはフックが固定的に取り付けられ、それにより第一プーリを回転させ、第一プーリは第二プーリとネジ山軸を回転連動させ、ネジ山軸が回転してネジ山スライダを右へ運動連動させ、ネジ山スライダは引き線と限定ブロックを引き動かし、限定ブロックがハンガースライダを右へスライド連動させて均一分布させ、シャツをハンガー張りボードに掛け、シャツの重力によってハンガー張りボードが回転棒を押して回転させ、回転棒が回転して挟みボードを連動させてシャツを挟んで止め、洗濯バサミはシャツに皺ができないようにシャツの底部を挟み、前記フックには他の干される衣服を掛けられる。
【発明の効果】
【０００８】
本発明の有益な効果は下記の通りである：
【０００９】
本発明はシャツを洗濯終わってからシャツを挟んで止めて干し、洗濯する後生じる大量な皺を防止でき、シャツを伸ばし、シャツは均一に干され、重なって干しにくいことはなく、雨の日もタイムリーに取れない状況で雨に濡れるのを防止でき、簡易な箪笥としても使え、宣伝する価値がある。
【図面の簡単な説明】
【００１０】
【図１】図１は本発明の全体構成模式図
【図２】図２は図１のＡ−Ａの方向の断面構成模式図
【図３】図３は図１のＢ−Ｂの方向の断面構成模式図
【図４】図４は図１における洗濯バサミ１６の構成模式図
【図５】図５は図１のＣの拡大構成模式図
【発明を実施するための形態】
【００１１】
以下、図１−５について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−５を参考して、本発明の実施例における家庭用のシャツ干し装置は、左右に対称的な支持棒１０を含み、前記支持棒１０には補助部品８０が設置されており、前記補助部品８０は前記支持棒１０の底部端面にヒンジで取り付けられる支持できるヒンジ棒１１を含み、前記ヒンジ棒１１の底部端面には転向と移動できる第一自在輪１２が回転できるように取り付けられ、前記支持棒１０の底部端面において前記ヒンジ棒１１の右側には第一リンク１４がヒンジで連結され、前記ヒンジ棒１１の右側端面には第二リンク１３がヒンジで取り付けられ、前記第二リンク１３が前記第一リンク１４とヒンジで取り付けられ、前記第一自在輪１２を支える又は収まることができ、右側の前記支持棒１０の底部端面には第二自在輪４４が回転できるように取り付けられ、装置を便利に移動することができ、前記補助部品８０は前記支持棒１０の頂部に固定的に取り付けられる巻き箱２２と雨を遮る雨遮り布２６とを含み、前記巻き箱２２の中には巻きチャンバ２３が設置されており、前記巻きチャンバ２３の前後内壁の間にはリール軸２５が回転できるように取り付けられ、前記リール軸２５には雨遮り布２６の巻き付くリール２４が固定的に取り付けられ、前記巻きチャンバ２３の前側内壁には固定板４５が固定的に取付けられ、前記固定板４５と前記リール２４の間にはリール２４に雨遮り布２６を回収させる撥条４６が固定的に取り付けられ、左右の前記支持棒１０の間には干し部品８１が設置されており、前記干し部品は左右の前記支持棒１０の間に固定的に取付けられるハンガーバー２９を含み、前記ハンガーバー２９の中にはスライドチャンバ３１が設置されており、前記スライドチャンバ３１の中にはネジ山軸３２が回転できるように取り付けられ、前記ネジ山軸３２にはネジ山スライダ３７がネジ山によって取り付けられ、前記スライドチャンバ３１の中にはハンガーを固定できる六つのハンガースライダ３０がスライドできるように取り付けられ、前記ハンガースライダ３０の中には通線穴３５が設置されており、前記ネジ山スライダ３７には前記ハンガースライダ３０を制御して右へスライドさせられる引き線３３が固定的に連結されており、前記引き線３３にはハンガースライダ３０を右へスライドさせる限定ブロック３４が固定的に取り付けられ、ネジ山軸３２の回転によってネジ山スライダ３７を制御してスライドチャンバ３１の中でスライドさせ、これによりハンガースライダ３０を均一にスライドチャンバ３１の中に分布でき、前記ハンガースライダ３０の底部端面にはハンガー連接ボード４３が固定的に取り付けられ、前記ハンガー連接ボード４３の中にはシャツを張るハンガー張りボード４１がヒンジで取り付けられ、前記ハンガー連接ボード４３の前後端面には左右に対称的に通槽３９が設置されており、前記ハンガー連接ボード４３の前後端面には左右に対称的に回転棒３８がヒンジで取り付けられ、前記回転棒３８と前記ハンガー張りボード４１とがスライドできるように連結され、前記回転棒３９にはシャツを挟む挟みボード４０がスライドできるように取り付けられ、シャツが風に吹き飛ばされることを防止でき、シャツの皺を伸ばすこともでき、前記干し部品８１はシャツの底部を挟む洗濯バサミ１６を含み、前記洗濯バサミ１６によってシャツが洗濯された後皺ができないように保証できる。
【００１３】
前記補助部品８０は左右両側の前記支持棒１０の間に固定的に取付けられる連接棒１５を含み、前記ハンガーバー２９の外側端面にはスライダ２７がスライドできるように取り付けられ、前記スライダ２７の中には布挟みブロック２８が固定的に設置されており、前記布挟みブロック２８が前記雨遮り布２６と固定的に連結されており、それにより、雨が降る時、スライダ２７を引き動かして右方へスライドさせ、雨遮り布２６が広がって雨を遮り、回収する時撥条４６がリール２４を回転連動させて雨遮り布２６を巻き、雨遮り布２６を納める。
【００１４】
前記干し部品８１は前記支持棒１０に回転できるように取り付けられるプーリ軸１９を含み、前記プーリ軸１９の左側端面には第一プーリ１８が固定的に取り付けられ、前記第一プーリ１８の左側端面には取手１７が固定的に取り付けられ、前記ネジ山軸３２の左側端面には第二プーリ２１が固定的に取り付けられ、前記第二プーリ２１と前記第一プーリ１８の間にはベルト２０が伝動できるように取り付けられ、前後の前記ハンガー張りボード４１には左右に対称的に撥条位置制限ブロック４７が固定的に取り付けられ、左右の前記撥条位置制限ブロック４７の間には撥条５０が固定的に取り付けられ、前記ハンガーバー２９にはフック３６が固定的に取り付けられ、それにより第一プーリ１８を回転させ、第一プーリ１８は第二プーリ２１とネジ山軸３２を回転連動させ、ネジ山軸３２が回転してネジ山スライダ３７を右へ運動連動させ、ネジ山スライダ３７は引き線３３と限定ブロック３４を引き動かし、限定ブロック３４がハンガースライダ３０を右へスライド連動させて均一分布させ、シャツをハンガー張りボード４１に掛け、シャツの重力によってハンガー張りボード４１が回転棒３８を押して回転させ、回転棒３８が回転して挟みボード４０を連動させてシャツを挟んで止め、洗濯バサミ１６はシャツに皺ができないようにシャツの底部を挟み、前記フック３６には他の干される衣服を掛けられる。
【００１５】
使用する時、第一自在輪１２と第二自在輪４４によって便利に装置を移動でき、装置を固定する時、第二リンク１３と第一リンク１４を推して左へ回転させ、ヒンジ棒１１と第一自在輪１２は引っ張られ右へ回転し、第一自在輪１２が納められ、左側の支持棒１０を直接に地面と接触させ、装置を地面と固定し、シャツを干す時、第一プーリ１８を回転させ、第一プーリ１８は第二プーリ２１とネジ山軸３２を回転連動させ、ネジ山軸３２が回転してネジ山ブロック３７を右へ運動連動させ、ネジ山スライダ３７が引き線３３と限定ブロック３４を引き動かし、限定ブロック３４がハンガースライダ３０を右へスライド連動させ、シャツをハンガー張りボード４１に掛け、シャツの重力によって、ハンガー張りボード４１が回転棒３８を押し動かして回転させ、回転棒３８が回転して挟みボード４０を連動させてシャツを挟み、洗濯バサミ１６はシャツに皺ができないようにシャツの底部を挟み、前記フック３６には他の干される衣服を掛けられ、雨が降る時、スライダ２７を引っ張って左へスライドさせ、雨遮り布２６が広がって雨を遮り、回収する時撥条４６がリール２４を回転連動させ、雨遮り布２６を巻き、雨遮り布２６が納められる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
家庭用のシャツ干し装置であって、左右に対称的な支持棒を含み、前記支持棒には補助部品が設置されており、前記補助部品は前記支持棒の底部端面にヒンジで取り付けられる支持できるヒンジ棒を含み、前記ヒンジ棒の底部端面には転向と移動できる第一自在輪が回転できるように取り付けられ、前記支持棒の底部端面において前記ヒンジ棒の右側には第一リンクがヒンジで連結され、前記ヒンジ棒の右側端面には第二リンクがヒンジで取り付けられ、前記第二リンクが前記第一リンクとヒンジで取り付けられ、前記第一自在輪を支える又は収まることができ、右側の前記支持棒の底部端面には第二自在輪が回転できるように取り付けられ、装置を便利に移動することができ、前記補助部品は前記支持棒の頂部に固定的に取り付けられる巻き箱と雨を遮る雨遮り布とを含み、前記巻き箱の中には巻きチャンバが設置されており、前記巻きチャンバの前後内壁の間にはリール軸が回転できるように取り付けられ、前記リール軸には雨遮り布の巻き付くリールが固定的に取り付けられ、前記巻きチャンバの前側内壁には固定板が固定的に取付けられ、前記固定板と前記リールの間にはリールに雨遮り布を回収させる撥条が固定的に取り付けられ、左右の前記支持棒の間には干し部品が設置されており、前記干し部品は左右の前記支持棒の間に固定的に取付けられるハンガーバーを含み、前記ハンガーバーの中にはスライドチャンバが設置されており、前記スライドチャンバの中にはネジ山軸が回転できるように取り付けられ、前記ネジ山軸にはネジ山スライダがネジ山によって取り付けられ、前記スライドチャンバの中にはハンガーを固定できる六つのハンガースライダがスライドできるように取り付けられ、前記ハンガースライダの中には通線穴が設置されており、前記ネジ山スライダには前記ハンガースライダを制御して右へスライドさせられる引き線が固定的に連結されており、前記引き線にはハンガースライダを右へスライドさせる限定ブロックが固定的に取り付けられ、ネジ山軸の回転によってネジ山スライダを制御してスライドチャンバの中でスライドさせ、これによりハンガースライダを均一にスライドチャンバの中に分布でき、前記ハンガースライダの底部端面にはハンガー連接ボードが固定的に取り付けられ、前記ハンガー連接ボードの中にはシャツを張るハンガー張りボードがヒンジで取り付けられ、前記ハンガー連接ボードの前後端面には左右に対称的に通槽が設置されており、前記ハンガー連接ボードの前後端面には左右に対称的に回転棒がヒンジで取り付けられ、前記回転棒と前記ハンガー張りボードとがスライドできるように連結され、前記回転棒にはシャツを挟む挟みボードがスライドできるように取り付けられ、シャツが風に吹き飛ばされることを防止でき、シャツの皺を伸ばすこともでき、前記干し部品はシャツの底部を挟む洗濯バサミを含み、前記洗濯バサミによってシャツが洗濯された後皺ができないように保証でき、
前記補助部品は左右両側の前記支持棒の間に固定的に取付けられる連接棒を含み、前記ハンガーバーの外側端面にはスライダがスライドできるように取り付けられ、前記スライダの中には布挟みブロックが固定的に設置されており、前記布挟みブロックが前記雨遮り布と固定的に連結されており、それにより、雨が降る時、スライダを引き動かして右方へスライドさせ、雨遮り布が広がって雨を遮り、回収する時撥条がリールを回転連動させて雨遮り布を巻き、雨遮り布を納め、
前記干し部品は前記支持棒に回転できるように取り付けられるプーリ軸を含み、前記プーリ軸の左側端面には第一プーリが固定的に取り付けられ、前記第一プーリの左側端面には取手が固定的に取り付けられ、前記ネジ山軸の左側端面には第二プーリが固定的に取り付けられ、前記第二プーリと前記第一プーリの間にはベルトが伝動できるように取り付けられ、前後の前記ハンガー張りボードには左右に対称的に撥条位置制限ブロックが固定的に取り付けられ、左右の前記撥条位置制限ブロックの間には撥条が固定的に取り付けられ、前記ハンガーバーにはフックが固定的に取り付けられ、それにより第一プーリを回転させ、第一プーリは第二プーリとネジ山軸を回転連動させ、ネジ山軸が回転してネジ山スライダを右へ運動連動させ、ネジ山スライダは引き線と限定ブロックを引き動かし、限定ブロックがハンガースライダを右へスライド連動させて均一分布させ、シャツをハンガー張りボードに掛け、シャツの重力によってハンガー張りボードが回転棒を押して回転させ、回転棒が回転して挟みボードを連動させてシャツを挟んで止め、洗濯バサミはシャツに皺ができないようにシャツの底部を挟み、前記フックには他の干される衣服を掛けられることを特徴とする家庭用のシャツ干し装置。